(57)【特許請求の範囲】
【請求項１】
割付枠の印刷版面座標と印刷版面中の割付枠を一意に識別する割付枠名称と、を含む可変印刷情報の割付枠情報を含んで記述されるバリアブルプリンタ制御データと、可変印刷情報の入力データと、を受付けて、改ページごとに印刷版面単位でバリアブルプリントを行うバリアブルプリンタのための多面付バリアブルプリント割付編集方法であって、
可変印刷情報の割付枠を、テキストと画像についてそれぞれ１つ以上含んだ１つのレイアウト単位をレイアウト編集して、このレイアウト編集された１つのレイアウト単位を表す、可変印刷情報の割付枠情報を含んだページ編集データを作成する工程と、
このページ編集データを複製して、これを印刷版面全体に多面割付編集する多面割付工程と、
前記多面割付編集結果に対して、前記多面割付編集結果によって定まる各レイアウト単位の順序情報に基づいて、可変印刷情報をレイアウト単位ごとに適切に流し込むように、複製された割付枠名称にページ順序を付加して割付枠識別情報とし、割付枠ごとの印刷版面座標の位置座標を修正して割付枠印刷版面座標情報とし、割付枠識別情報と割付枠印刷版面座標情報を持った割付枠データを、印刷版面ごとに、テキストと画像についてそれぞれ２以上含むバリアブルプリンタ制御データを生成する工程と、
前記バリアブルプリンタ制御データに対応した可変印刷情報の入力データを用意する工程と、
を含んだ手順でなされることを特徴とする多面付バリアブルプリント割付編集方法。
【請求項２】
割付枠の印刷版面座標と印刷版面中の割付枠を一意に識別する割付枠名称と、を含む可変印刷情報の割付枠情報を含んで記述されるバリアブルプリンタ制御データを記憶する記憶手段と、
可変印刷情報の割付枠を、テキストと画像についてそれぞれ１つ以上含んだ１つのレイアウト単位をレイアウト編集して、このレイアウト編集された１つのレイアウト単位を表す、可変印刷情報の割付枠情報を含んだページ編集データを作成するページ編集データ作成手段と、
このページ編集データを複製して、これを印刷版面全体に多面割付編集する多面割付手段と、
前記多面割付編集結果に対して、前記多面割付編集結果によって定まる各レイアウト単位の順序情報に基づいて、可変印刷情報をレイアウト単位ごとに適切に流し込むように、複製された割付枠名称にページ順序を付加して割付枠識別情報とし、割付枠ごとの印刷版面座標の位置座標を修正して割付枠印刷版面座標情報とし、割付枠識別情報と割付枠印刷版面座標情報を持った割付枠データを、印刷版面ごとに、テキストと画像についてそれぞれ２以上含むバリアブルプリンタ制御データを生成するバリアブルプリンタ制御データ作成手段と、
を備えたことを特徴とする多面付バリアブルプリント割付編集装置。
【請求項３】
コンピュータに組込むことによって、コンピュータを請求項２に記載の多面付バリアブルプリント割付編集装置として動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、バリアブルプリントにおいて、バリアブルプリンタ装置の多面割付情報を作成するバリアブルプリント割付編集方法、装置に関するものである。なお、バリアブルプリントとは、可変印刷情報（ページごとに異なる印刷情報であって、たとえば、受取人の住所・氏名など。）とそれ以外の印刷情報とともに印刷する技術である。
【０００２】
従来から、バリアブルプリントの割付編集工程においては、割付編集装置を用いて、印刷版面に複数ページのバリアブルプリントを割り付ける多面割付情報を、バリアブルプリンタ装置のページ記述言語に基づいて作成している。
【背景技術】
【０００３】
たとえば、非特許文献１には、富士ゼロックス社製バリアブルプリンタ装置のページ記述言語を用いたバリアブルプリントの技術（従来技術１）が開示されている。従来技術１のバリアブルプリントページ記述言語を用いることにより、改ページが行われたときに、所定の位置に可変印刷情報が印刷されるように、バリアブルプリントの割付情報と印刷情報を作成することができる。
【非特許文献１】ＶＩＰＰ（ブイ・アイ・ピー・ピー）ユーザーズガイド（第１版、２００５年４月、富士ゼロックス社発行、管理番号：ＭＥ３４５０Ｊ１−１）（２９ページ）
【０００４】
なお、ＶＩＰＰとは、Ｖａｒｉａｂｌｅ  ｄａｔａ  Ｉｎｔｅｌｌｉｇｅｎｔ  ＰｏｓｔＳｃｒｉｐｔ  Ｐｒｉｎｔｗａｒｅの略であり、ページ記述言語ＰｏｓｔＳｃｒｉｐｔに基づいたバリアブルプリントのデータ形式である。ここで、ＰｏｓｔＳｃｒｉｐｔは、ＡｄｏｂｅＳｙｓｔｅｍｓ社の登録商標である。
【発明の開示】
【発明が解決しようとする課題】
【０００５】
しかし、従来技術１では、同じ割付け体裁のページを印刷版面に多面割付して印刷する場合には、同じ割付け体裁の各ページの割付情報が重複しないように、修正変更の作業を行う必要があるという欠点があった。
【０００６】
本発明はこのような従来技術を考慮してなされたものであって、本発明の課題は、バリアブルプリンタ装置の多面割付情報を容易に作成するバリアブルプリント割付編集方法、および、装置を提供することである。
【課題を解決するための手段】
【０００７】
ここで、本発明で使用する用語の定義をする。レイアウトページとは、印刷製品のページに相当して、編集者がレイアウト編集作業の対象とするページである。レイアウトページには、レイアウト編集された割付枠が含まれる。（詳細は、図４にて説明する。）この割付枠には、改ページにより更新された可変印刷情報が割付けられる。ここで、可変印刷情報とは、バリアブルプリンタにて改ページがなされると、印刷内容を変更するための可変文字や可変画像や可変図形などから構成される印刷情報である。印刷版面とは、バリアブルプリンタが印刷するときにページとして扱う単位である。印刷版面には、レイアウトページが多面割付されている。印刷版面に多面割付されている各レイアウトページは、ページ順序情報とページ位置情報を持ち、各レイアウトページの割付枠は、割付枠識別情報にて識別される。（詳細は、図７にて、説明する。）
【０００８】
ページ編集データとは、割付枠を含んだレイアウトページを編集するデータである。ページ編集データには、割付枠名称情報と割付枠座標情報とを持った割付枠データが含まれる。
【０００９】
バリアブルプリンタ制御データとは、印刷版面にレイアウトページを多面割付けするデータである。バリアブルプリンタ制御データには、各割付枠を識別する割付枠識別情報と割付枠印刷版面座標情報とを持った割付枠データが含まれる。（詳細は、図５にて、説明する。）
【００１０】
本発明は、以下のような解決手段により、前記課題を解決する。すなわち、請求項１の発明は、割付枠の印刷版面座標と印刷版面中の割付枠を一意に識別する割付枠名称と、を含む可変印刷情報の割付枠情報を含んで記述されるバリアブルプリンタ制御データと、可変印刷情報の入力データと、を受付けて、改ページごとに印刷版面単位でバリアブルプリントを行うバリアブルプリンタのための多面付バリアブルプリント割付編集方法であって、可変印刷情報の割付枠を、テキストと画像についてそれぞれ１つ以上含んだ１つのレイアウト単位をレイアウト編集して、このレイアウト編集された１つのレイアウト単位を表す、可変印刷情報の割付枠情報を含んだページ編集データを作成する工程と、このページ編集データを複製して、これを印刷版面全体に多面割付編集する多面割付工程と、前記多面割付編集結果に対して、前記多面割付編集結果によって定まる各レイアウト単位の順序情報に基づいて、可変印刷情報をレイアウト単位ごとに適切に流し込むように、複製された割付枠名称にページ順序を付加して割付枠識別情報とし、割付枠ごとの印刷版面座標の位置座標を修正して割付枠印刷版面座標情報とし、割付枠識別情報と割付枠印刷版面座標情報を持った割付枠データを、印刷版面ごとに、テキストと画像についてそれぞれ２以上含むバリアブルプリンタ制御データを生成する工程と、前記バリアブルプリンタ制御データに対応した可変印刷情報の入力データを用意する工程と、を含んだ手順でなされることを特徴とする多面付バリアブルプリント割付編集方法である。
【００１１】
従って、割付編集者が、割付枠を持ったレイアウトページを、所定の数量だけ複製して、印刷版面に多面割付して、各レイアウトページに順序情報（たとえば、順序番号）を与えることで、各割付枠に、識別情報（たとえば、割付枠名称に順序番号を付けたもの）と、印刷版面の座標情報（たとえば、印刷版面の原点からの座標値）を設定することができる。
【００１２】
請求項２の発明は、割付枠の印刷版面座標と印刷版面中の割付枠を一意に識別する割付枠名称と、を含む可変印刷情報の割付枠情報を含んで記述されるバリアブルプリンタ制御データを記憶する記憶手段と、可変印刷情報の割付枠を、テキストと画像についてそれぞれ１つ以上含んだ１つのレイアウト単位をレイアウト編集して、このレイアウト編集された１つのレイアウト単位を表す、可変印刷情報の割付枠情報を含んだページ編集データを作成するページ編集データ作成手段と、このページ編集データを複製して、これを印刷版面全体に多面割付編集する多面割付手段と、前記多面割付編集結果に対して、前記多面割付編集結果によって定まる各レイアウト単位の順序情報に基づいて、可変印刷情報をレイアウト単位ごとに適切に流し込むように、複製された割付枠名称にページ順序を付加して割付枠識別情報とし、割付枠ごとの印刷版面座標の位置座標を修正して割付枠印刷版面座標情報とし、割付枠識別情報と割付枠印刷版面座標情報を持った割付枠データを、印刷版面ごとに、テキストと画像についてそれぞれ２以上含むバリアブルプリンタ制御データを生成するバリアブルプリンタ制御データ作成手段と、を備えたことを特徴とする多面付バリアブルプリント割付編集装置である。
【００１３】
請求項３の発明は、コンピュータに組込むことによって、コンピュータを請求項２に記載の多面付バリアブルプリント割付編集装置として動作させるコンピュータプログラムである。
【００１４】
請求項４の発明は、請求項３に記載のコンピュータプログラムを記録したコンピュータ読取り可能な記録媒体である。
【発明の効果】
【００１５】
本願発明によれば、ページ編集割付データを用いて、容易で簡便な操作により、バリアブルプリント多面割付を指示するデータを作成することが可能になるために、バリアブルプリント割付編集作業の能率が向上する。
【発明を実施するための最良の形態】
【００１６】
（実施例）
以下、図面等を参照しながら、本発明の実施の形態について、更に詳しく説明する。図１は、本発明による多面割付バリアブルプリントシステムの全体構成図である。多面割付バリアブルプリントシステム１は、多面割付バリアブルプリント割付編集装置１００とバリアブルプリンタ５００とをネットワーク接続して構成される。多面割付バリアブルプリント割付編集装置１００は、編集者が、可変印刷情報を割り付ける割付枠を含んだレイアウトページをレイアウト編集して、ページ編集データ１９１を作成するために使用して、その後に、このレイアウトページを印刷版面に多面割付するバリアブルプリンタ制御データ１９９を作成するために使用する。
【００１７】
多面割付バリアブルプリント割付編集装置１００は、レイアウト編集したレイアウトページのページ編集データ１９１と、このレイアウトページを印刷版面に多面割付したページをバリアブルプリンタ５００で印刷制御するためのバリアブルプリンタ制御データ１９９を記憶する。多面割付バリアブルプリント割付編集装置１００は、レイアウトページ１００ａを編集して、ページ編集データ１９１を生成する。多面割付バリアブルプリント割付編集装置１００は、バリアブルプリンタ制御データ１９９をバリアブルプリンタ５００に送信する。バリアブルプリンタ５００は、バリアブルプリンタ制御データ１９９と可変印刷情報（以下、可変印刷データ）５９１とから、多面割付されたバリアブルプリント５９９を製造する。
【００１８】
図２は、本発明によるバリアブルプリント多面割付データ編集システムの大まかな動作フローである。編集者は、ページごとに変化する文字や画像を割り付ける割付枠を含んだレイアウトページをレイアウト編集して情報入力する（図２（ア））。バリアブルプリント多面割付編集装置１００は、入力されたレイアウト編集情報を取得して、ページ編集データ１９１を作成する（同（イ））。ここで、ページ編集データ１９１の項目は、レイアウトページの座標値（印刷版面の原点からの座標値）と、割付枠座標値（レイアウト基準点からの座標値）と、割付枠名称などから構成される。
【００１９】
編集者は、ページ編集データ１９１を所望の数だけ複製して、これらを、印刷版面に多面割付配置して、複製したページ編集データ１９１のページ順序情報を入力する（同（ウ））。
【００２０】
なお、編集者は、ページ編集データ１９１を所望の数だけ複製して、この複製したページ編集データ１９１からレイアウトページを生成して、これらを、編集画面に表示させて、この表示された各レイアウトページを印刷版面に多面割付配置して、レイアウトページ１００ａのページ順序情報を入力しても良い。
【００２１】
バリアブルプリント多面割付編集装置１００は、多面割付配置されたレイアウトページ１００ａからページ位置情報を取得して、同時に、入力されたページ順序情報を取得して、これを用いて、バリアブルプリンタ制御データ１９９を作成する（同（エ））。ここで、バリアブルプリンタ制御データ１９９の項目は、多面割付された各レイアウトページの割付枠の座標値（印刷版面の原点からの座標値）と、割付枠の識別名称などから構成される。
【００２２】
バリアブルプリント多面割付編集装置１００は、バリアブルプリンタ制御データ１９９を、送信する（同（オ））。
【００２３】
バリアブルプリンタ５００は、バリアブルプリンタ制御データ１９９を受信する（同（カ））。バリアブルプリンタ５００は、バリアブルプリンタ制御データ１９９と多面割付に対応した可変印刷データ５９１（たとえば、文字データや画像データ）とを用いて、多面割付バリアブルプリントをする（同（キ））。
【００２４】
図３は、ページ編集データ１９１の構造と例である。ページ編集データ１９１は、固定画像を割付ける割付枠データ１９１ａと、可変文字、若しくは、固定文字を割付ける割付枠データ１９１ｂと、可変画像を割付ける割付枠データ１９１ｃを含んで構成される。
【００２５】
固定画像を割付ける割付枠データ１９１ａは、各レイアウトページ１００ａに共通して使用する画像ファイル名情報と、レイアウト基準点からの割付枠位置の位置情報１９１ｇを含む。
【００２６】
可変文字、若しくは、固定文字を割付ける割付枠データ１９１ｂは、割付枠名称情報１９１ｆと、レイアウト基準点からの割付枠位置情報１９１ｅと、書体コードと文字の大きさを含んでいる。なお、固定文字を割付けるときには、固定文字を所定の書式（たとえば、括弧で固定文字を挟む。）にて記述して、割付枠名称情報１９１ｆに記載する。
【００２７】
可変画像を割付ける割付枠データ１９１ｃは、割付枠名称情報１９１ｆと、レイアウト基準点からの割付枠位置情報１９１ｅとを含んでいる。
【００２８】
たとえば、ＸＭＬ形式のページ編集データ１９１では、レイアウトページ１００ａの固定画像の位置情報は、「<BasestartX>0</BasestartX><BasestartY>0</BasestartY>」１９１ｇ表記される。
【００２９】
また、可変文字を割付ける割付枠データ１９１ｂでは、割付枠名称情報１９１ｆは「<Columnname>name</Columnname>」と表記して、割付枠位置情報１９１ｅは、「<StartX>10</StartX><StartY>10</StartY>」と表記して、文字書体の指定は、「<Font> Ryumin-Bold-90ms-RKSJ-H </Font>」と表記して、文字の大きさの指定は、「<Fontsize>20</Fontsize>」と表記する。
【００３０】
同様に、可変画像を割付ける割付枠データ１９１ｃでは、割付枠名称情報１９１ｆは「<Columnname>gazo</Columnname>」と表記して、割付枠位置情報１９１ｅは、「<StartX>70</StartX><StartY>30</StartY>」と表記する。
【００３１】
なお、固定文字の割付は、固定画像に文字画像として含ませても良い。
【００３２】
図４は、レイアウトページ１００ａの画面表示例である。レイアウトページ１００ａは、レイアウト基準点からの割付枠位置情報１９１ｅが指定する位置に割付枠を配置して、表示する。また、表示された割付枠には、割付枠名称情報１９１ｆ（たとえば、「name」や「gazo」）を付属させて表示する。
【００３３】
図５は、バリアブルプリントのバリアブルプリンタ制御データ１９９の構造である。バリアブルプリンタ制御データ１９９は、可変文字を割付ける割付枠データ１９９ｂ、または、可変画像を割付ける割付枠データ１９９ｃ、または、固定画像（背景画像）を割付ける割付枠データ１９９ｆ、または、固定文字を割付ける割付枠データ１９９ｇを含んで構成される。
【００３４】
可変印刷情報を割付ける割付枠データ１９９ｂ／１９９ｃは、割付枠識別情報と、割付枠印刷版面座標情報を含む。ここで、割付枠識別情報は、割付枠名称情報にページ順序情報の順序数が付加された識別情報である。割付枠印刷版面座標情報は、印刷版面の原点からの座標情報である。
【００３５】
また、固定画像や固定文字（以下、固定印刷情報）を割付ける割付枠データ１９９ｆ／１９９ｇは、固定印刷情報と、割付枠印刷版面座標情報を含む。
【００３６】
たとえば、図３のページ編集データ１９１を２面つけした場合のバリアブルプリンタ制御データ１９９を説明する。
【００３７】
可変文字を割付けた割付枠１９９ｂの割付枠識別情報は、割付枠名称情報「name」にページ順序数が付加されて、それぞれ「name-1」と「name-2」となる。また、この割付枠の割付枠印刷版面座標情報は、所定の算出方法（詳細は後述する。）で求められた値「20  20」と「120  20」が、それぞれ設定されている。同様に、可変画像を割付けた割付枠１９９ｃの割付枠識別情報は、それぞれ「gazo-1」と「gazo-2」であって、この割付枠の割付枠印刷版面座標情報は、それぞれ「80  40」と「180  40」が設定されている。
【００３８】
また、固定画像として背景画像を割付けた割付枠データ１９９ｆでは、固定画像ファイル名が、「（graphic.eps）」と記述されている。この割付枠の割付枠印刷版面座標情報は、それぞれ「10  10」と「110  10」が設定されている。同様に、固定文字を割付けた割付枠データ１９９ｇでは、固定文字が、「（山の絵）」と記述されている。この割付枠の割付枠印刷版面座標情報は、それぞれ「15  15」と「115  15」が設定されている。
【００３９】
図６と図７は、ページ編集データ１９１からバリアブルプリンタ制御データを作成する手順の説明図である。図６は、ページ編集データ１９１を複製する手順を説明する。編集者の指示に従って、ページ編集データ１９１を複製する。（図６（１））。編集者は、複製された２つのページ編集データ１９１に対応するレイアウトページ１００ａの印刷版面上の配置位置を決定する（同（２））。各レイアウトページ１００ａの配置位置からページ編集データ１９１のレイアウト基準点の位置情報１９１ｄを求めて、設定する（同（３））。
【００４０】
図７は、複製したページ編集データ１９１からバリアブルプリンタ制御データを作成する手順の説明図である。表示したレイアウトページ１００ａのページ順序を指定する（図７（４））。ページ順序を指定されたレイアウトページ１００ａに対応するページ編集データ１９１の可変印刷情報を割付ける割付枠の名称情報１９１ｆにページ順序数を付加して、バリアブルプリンタ制御データの割付枠の名称情報１９９ｄを作成する（図７（５））。割付枠の位置情報１９１ｅにページ編集データのレイアウト基準点の位置情報１９１ｄを加算して、バリアブルプリンタ制御データの割付枠の位置情報１９９ｅ（割付枠印刷版面座標情報）を作成する（図７（６））。
【００４１】
図８は、多面割付バリアブルプリント割付編集装置の詳細な構成図である。多面割付バリアブルプリント割付編集装置１００は、ページ編集データ作成手段１１０と、多面割付手段１２０と、割付枠識別情報作成手段１３０と、割付枠座標算出手段１４０と、バリアブルプリンタ制御データ作成手段１５０と、ページ順序情報付与手段１６０と、記憶手段１９０とを備える。記憶手段１９０は、ページ編集データ１９１とバリアブルプリンタ制御データ１９９とを記憶する。
【００４２】
ページ編集データ１９１は、割付枠名称情報１９１ｆ（たとえば、割付枠名称）と割付枠座標情報１９１ｅとを持った割付枠データを含んだデータである。バリアブルプリンタ制御データ１９９は、割付枠識別情報（たとえば、割付枠名称に識別番号を加えた割付枠名称情報）と割付枠印刷版面座標情報とを持った割付枠データを含んだデータである。
【００４３】
ページ編集データ作成手段１１０は、割付枠データを含んだページ編集データ１９１を作成する。多面割付手段１２０は、前記ページ編集データを複製して、各複製したページ編集データ１９１に対応するページレイアウトを多面割付する。ページ順序情報付与手段１６０は、前記多面割付された各レイアウトページ１００ａに、ページ順序情報を付与する。割付枠識別情報作成手段１３０は、前記多面割付された各レイアウトページ１００ａのページ順序情報（たとえば、順序数）を取得して、これを用いて、各レイアウトページ１００ａに対応するページ編集データ１９１の割付枠データの割付枠識別情報を作成する。割付枠座標算出手段１４０は、前記多面割付された各レイアウトページ１００ａからページ位置情報を取得して、これを用いて、各レイアウトページ１００ａに対応するページ編集データ１９１の割付枠データの割付枠印刷版面座標情報を算出する。バリアブルプリンタ制御データ作成手段１５０は、前記割付枠識別情報と前記算出された前記座標情報を持つ割付枠データを含んだバリアブルプリンタ制御データ１９９を作成する。
【００４４】
ページ編集データ作成手段１１０と、多面割付手段１２０と、割付枠識別情報作成手段１３０と、割付枠座標算出手段１４０と、バリアブルプリンタ制御データ作成手段１５０と、ページ順序情報付与手段１６０とは、コンピュータプログラムである。記憶手段１９０は、不揮発性メモリーである。ページ編集データ１９１とバリアブルプリンタ制御データ１９９とは、コンピュータプログラムが可読なデータである。
【００４５】
図９は、本発明によるバリアブルプリントバリアブルプリンタ制御データ作成処理のフローチャートで、図２の（ウ）（エ）に対応している。
（１）多面割付手段１２０は、割付枠座標情報と枠名称情報を持つ割付枠データを含んだページ編集データ１９１を指示された数だけ複製して、各複製したページ編集データ１９１に対応するページレイアウトを多面割付する。（ステップＳ１１０）
（２）編集者は、印刷版面に多面割付配置されたレイアウトページ１００ａのページ順序情報（たとえば、順序数）を入力する。（ステップＳ１２０）
（３）ページ順序情報付与手段１６０は、前記多面割付された各レイアウトページに、ページ順序情報を付与する。（ステップＳ１３０）
（４）割付枠識別情報作成手段１３０は、入力された各レイアウトページの順序情報を取得して、これから順序識別情報を生成して、この順序識別情報を、各レイアウトページに対応するページ編集データ１９１の可変印刷情報を割付ける割付枠データの枠名称情報に追加して、割付枠識別情報（たとえば、枠名称+順序数）を設定する。（ステップＳ１５０）
（５）割付枠座標算出手段１４０は、配置されたレイアウトページ１００ａからページ位置情報（印刷版面におけるレイアウト基準点の位置情報）を取得して、これからレイアウトページ１００ａに含まれる割付枠の印刷版面上の位置情報（割付枠印刷版面座標情報）を算出して、このレイアウトページに対応するページ編集データ１９１の割付枠データの位置情報に、この割付枠印刷版面座標情報を設定する。（ステップＳ１６０）
（６）多面割付作業が終了したら、次のステップに進む。多面割付作業が終了していなければ、ステップS１１０に戻る。（ステップＳ１７０）
（７）バリアブルプリンタ制御データ作成手段１５０は、各ページ編集データ１９１から、割付枠データを取得して、これを含むバリアブルプリンタ制御データ１９９を作成する。（ステップＳ１８０）
【００４６】
なお、ステップＳ１３０において、多面割付手段１２０は、割付枠座標情報と枠名称情報を持つ割付枠データを含んだページ編集データ１９１を指示された数だけ複製して、これから割付枠を含むレイアウトページ１００ａを生成して表示して、多面割付してもよい。
【００４７】
ここで、可変印刷データ５９１のデータ形式を説明する。可変印刷データ５９１は、定義データを含んだ可変印刷データである。定義データは、印刷版面に多面割付された各割付枠の割付枠識別情報が記述される。可変印刷データは、割付枠に割付ける可変印刷データ（たとえば、可変文字や可変画像）が記述されている。可変印刷データは、印刷版面の各割付枠に割付ける可変印刷データをグループ単位として、印刷される順番に、配列されている。ここで、グループ単位の各可変印刷データは、定義データの割付枠識別情報と対応付けられている。
【００４８】
次に、バリアブルプリントをするための処理手順を説明する。１ページのレイアウトページをバリアブルプリントする場合は、改ページされたらば、１ページ分の可変印刷データ５９１を取得して、割付枠に割付けてバリアブルプリントすればよい。他方、印刷版面に多面割付けされたレイアウトページをバリアブルプリントする場合は、改ページがなされると、グループ単位の可変印刷データを取得して、各可変印刷データを、対応付けられた割付枠識別情報の割付枠に割付けて、バリアブルプリントする。
【００４９】
つまり、多面割付けバリアブルプリントにおいては、バリアブルプリンタ装置は、改ページがなされると、可変印刷データ５９１から、次に印刷する印刷版面単位の可変印刷データを取得する。ついで、各可変印刷データは、対応付けられている割付枠識別情報を用いて、バリアブルプリンタ制御データ１９９の割付枠データに割付けて、印刷する。
【００５０】
以上詳しく説明したように、本願発明によれば、ページ編集割付データを用いて、容易で簡便な操作により、バリアブルプリント多面割付を指示するデータを作成することが可能になったために、バリアブルプリント割付編集作業の能率が向上した。
【図面の簡単な説明】
【００５１】
【図１】本発明による多面割付バリアブルプリントシステムの全体構成図
【図２】バリアブルプリント多面割付データ編集システムの大まかな動作フロー
【図３】バリアブルプリントのページ編集データの構造
【図４】レイアウトページの画面表示例
【図５】バリアブルプリンタ制御データの構造
【図６】ページ編集データからバリアブルプリンタ制御データを作成する手順（１）
【図７】ページ編集データからバリアブルプリンタ制御データを作成する手順（２）
【図８】バリアブルプリント割付編集装置の詳細な構成図
【図９】本発明によるバリアブルプリンタ制御データ作成処理のフローチャート
【符号の説明】
【００５２】
１１０  ページ編集データ作成手段
１００ａ  レイアウトページ
１２０  多面割付手段
１３０  割付枠識別情報作成手段
１４０  割付枠座標算出手段
１５０  バリアブルプリンタ制御データ作成手段
１６０  ページ順序情報付与手段
１９０  記憶手段
１９１  ページ編集データ
１９１ｂ  ページ編集データに含まれる文字を割付ける割付枠データ
１９１ｃ  ページ編集データに含まれる画像を割付ける割付枠データ
１９１ｄ  レイアウト基準点の位置情報
１９１ｅ  レイアウト基準点からの割付枠位置情報
１９１ｆ  ページ編集データの割付枠の名称情報
１９１ｇ  固定画像（背景画像）の位置情報
１９９  バリアブルプリンタ制御データ
１９９ｂ  バリアブルプリンタ制御データの可変文字を割付ける割付枠データ
１９９ｃ  バリアブルプリンタ制御データの可変画像を割付ける割付枠データ
１９９ｄ  バリアブルプリンタ制御データの割付枠の名称情報
１９９ｆ  バリアブルプリンタ制御データの固定画像を割付けた割付枠データ
１９９ｅ  バリアブルプリンタ制御データの割付枠の位置情報
１９９ｇ  バリアブルプリンタ制御データの固定文字を割付けた割付枠データ
５９１  可変印刷データ
【図１】
0004686339.tif 000002
【図２】
0004686339.tif 000003
【図３】
0004686339.tif 000004
【図４】
0004686339.tif 000005
【図５】
0004686339.tif 000006
【図６】
0004686339.tif 000007
【図７】
0004686339.tif 000008
【図８】
0004686339.tif 000009
【図９】
0004686339.tif 000010